(57)【要約】【課題】  成形加工が容易なアース接続用線材によってジャックを確実にアース接続できるようにする。【解決手段】  導電性線材を折曲してアース接続用線材１０を形成する。アース接続用線材１０の水平部１１にジャック７の筒部７ａより小径な巻付部１２と、回路基板４と平行する水平基部１３と、水平基部１３の端部から折曲してグランドパターン４ａに接続する接続端部１５とを備える。アース接続用線材１０は、巻付部１２を広げてジャック７の筒部７ａに挿入し、巻付部１２の弾性復元力によってジャック７の筒部７ａに弾性的に密着させる。この後、接続端部１５を回路基板４に形成する孔部４ｂに挿入し、回路基板４のグランドパターン４ａに接続端部１５を半田付けして、ジャック７に帯電する静電気をアース接続用線材１０からグランドパターン４ａへ放電する。【選択図】  図２
2006269370.tif 000002
【特許請求の範囲】
【請求項１】
外部機器と接続する導電性のジャックと、このジャックを実装する回路基板と、前記ジャックとアース部とを接続する可撓性を有するアース接続用線材とを備え、前記アース接続用線材の一部を前記アース部と接続するとともに、アース接続用線材に少なくとも前記ジャックの外周に弾性的に密着する巻付部を形成したことを特徴とするジャックを備えた電子機器。
【請求項２】
前記アース部が前記回路基板に形成するグランドパターンから成り、前記アース接続用線材の接続端部を前記グランドパターンに接続したことを特徴とする請求項１記載のジャックを備えた電子機器。
【請求項３】
前記アース接続用線材が、前記グランドパターンに接続する接続端部と、この接続端部と水平基部を介して上方に屈曲する立ち上り部と、この立ち上り部の上端部から前記回路基板と平行するように屈曲した水平部とを備え、この水平部に少なくとも前記ジャックの外周より小径となるようにコイル状に巻き回して前記巻付部を形成したことを特徴とする請求項２記載のジャックを備えた電子機器。
【請求項４】
前記アース接続用線材が、立ち上り部と水平部との間にコイル部を有するトーションバネによって構成され、前記水平部に少なくとも前記ジャックの外周より小径となるようにコイル状に巻き回して前記巻付部を形成するとともに、前記立ち上り部から前記グランドパターンに接続する接続端部を屈曲形成するとともに、前記回路基板には、前記立ち上り部を係止するための切欠部を形成したことを特徴とする請求項２記載のジャックを備えた電子機器。
【請求項５】
前記アース部が前記回路基板を組み付ける導電性のシャーシから成り、前記アース接続用線材の接続端部と前記シャーシとを固定具により固定したことを特徴とする請求項１記載のジャックを備えた電子機器。
【請求項６】
前記アース接続用線材が、前記回路基板と平行する水平部を備え、この水平部に少なくとも前記ジャックの外周より小径となるようにコイル状に巻き回して前記巻付部を形成するとともに、前記シャーシに前記アース接続用線材と接続する接続片を折曲形成し、前記水平部の一端から前記接続片に沿わせる取付部を屈曲するとともに、この取付部に前記固定具としてのねじを挿通するリング部を形成し、そのねじを前記接続片に螺着して前記ジャックをアース接続するように構成したことを特徴とする請求項５記載のジャックを備えた電子機器。
【請求項７】
前記回路基板に複数のジャックを並設し、前記アース接続用線材の水平部に前記各ジャックの外周に弾性的に密着する複数の巻付部を形成したことを特徴とする請求項２、３、４、６記載のジャックを備えた電子機器。
【発明の詳細な説明】
【技術分野】
【０００１】
本発明はジャックを備えた電子機器、特にジャックに帯電する静電気を放電させるためにジャックをアース接続するように構成したジャックを備えた電子機器に関する。
【背景技術】
【０００２】
一般的に、例えば、テレビジョン受像機やＤＶＤプレーヤ等の情報記憶再生装置には、外部機器と接続するための端子としてジャックが備えられており、この種のジャックは、不要輻射（ＥＭＩ）対策として、ジャックをアース接続してジャックに帯電する静電気を放電させるようにしている。例えば、特許文献１には、ジャックと端子パネルとの間にアース金具を介在し、そのアース金具に形成する円孔の内周面にはジャック筒部と弾性的に接触する内側板ばねを形成するとともに、アース金具の外側に形成する外側板ばねを端子パネルの内側に接触させてジャックと端子パネルとを接触させてジャックに帯電する静電気をアース金具から端子パネルに放電するように構成したアース金具付きジャックが開示されている。
【０００３】
【特許文献１】特開平１１−１２１１０５号公報
【発明の開示】
【発明が解決しようとする課題】
【０００４】
しかし、特許文献１などにおいては、薄板状のアース金具に円孔を形成し、その円孔の内周面にジャック筒部を接触させるために複数の内側板ばねを形成し、さらに、アース金具の外縁から端子パネルの内面に接触させる外側板ばねを形成することから、成形加工が面倒であり、特に、テレビジョン受像機やＤＶＤプレーヤ等は回路基板に複数のジャックが並設されているため、これら複数のジャックにそれぞれアース金具を装着する手間がかかり、組み付け作業性に劣るものであった。また、アース金具を着脱した場合、ジャックあるいは端子パネルに接触させる内側又は外側板ばねのばね性が低下することも懸念され、アース金具の接触圧を適正状態に維持することができず、ジャックあるいは端子パネルと確実に接触することが困難になる可能性がある。
【０００５】
本発明は、上記背景技術を鑑みてなされたものであり、成形加工が容易であるとともに、ジャックをアース部に確実にアース接続することができるジャックを備えた電子機器を提供することをその目的とする。
【課題を解決するための手段】
【０００６】
請求項１に係るジャックを備えた電子機器は、外部機器と接続する導電性のジャックと、このジャックを実装する回路基板と、前記ジャックとアース部とを接続する可撓性を有するアース接続用線材とを備え、前記アース接続用線材の一部を前記アース部と接続するとともに、アース接続用線材に少なくとも前記ジャックの外周に弾性的に密着する巻付部を形成したことを特徴とする。
【０００７】
請求項１の構成によれば、アース接続用線材に形成する巻付部をジャックに弾性的に密着させた状態で、アース接続用線材の一部をアース部に接続することにより、ジャックに帯電する静電気がアース接続用線材からアース部に放電され、ジャックに外部機器を接続する際、ジャックに帯電する静電気が外部機器へと流れることはない。
【０００８】
請求項２に係るジャックを備えた電子機器は、請求項１記載のジャックを備えた電子機器において、前記アース部が前記回路基板に形成するグランドパターンから成り、前記アース接続用線材の接続端部を前記グランドパターンに接続したことを特徴とする。
【０００９】
請求項２の構成によれば、ジャックに帯電する静電気がアース接続用線材から回路基板に形成するグランドパターンに放電され、ジャックに外部機器を接続する際、ジャックに帯電する静電気が外部機器へと流れることはない。
【００１０】
請求項３に係るジャックを備えた電子機器は、請求項２記載のジャックを備えた電子機器において、前記アース接続用線材が、前記グランドパターンに接続する接続端部と、この接続端部と水平基部を介して上方に屈曲する立ち上り部と、この立ち上り部の上端部から前記回路基板と平行するように屈曲した水平部とを備え、この水平部に少なくとも前記ジャックの外周より小径となるようにコイル状に巻き回して前記巻付部を形成したことを特徴とする。
【００１１】
請求項３の構成によれば、アース接続用線材に形成する巻付部を広げてジャックに挿入することにより、巻付部の弾性復元力によって、ジャックに巻付部を弾性的に密着させる。こうしてジャックにアース接続用線材の巻付部を密着させた状態で、水平基部の端部に折曲した接続端部を回路基板に形成する孔部に挿入し、回路基板の裏面に形成するグランドパターンに接続端部を半田付けすることによって、ジャックに帯電する静電気がアース接続用線材から回路基板に形成するグランドパターンに放電される。
【００１２】
請求項４に係るジャックを備えた電子機器は、請求項２記載のジャックを備えた電子機器において、前記アース接続用線材が、立ち上り部と水平部との間にコイル部を有するトーションバネによって構成され、前記水平部に少なくとも前記ジャックの外周より小径となるようにコイル状に巻き回して前記巻付部を形成するとともに、前記立ち上り部から前記グランドパターンに接続する接続端部を屈曲形成するとともに、前記回路基板には、前記立ち上り部を係止するための切欠部を形成したことを特徴とする。
【００１３】
請求項４の構成によれば、アース接続用線材に形成する巻付部を広げてジャックに挿入し、巻付部の弾性復元力によってジャックに巻付部を弾性的に密着させる。この後、立ち上り部と水平部との間に形成するコイル部を撓ませるようにして立ち上り部を回路基板の切欠部に引っ掛けて係止する。これにより、コイル部の弾性復元力によって立ち上り部が回路基板の切欠部に係止され、この状態で立ち上り部の接続端部をグラドパターンに半田付けすることにより、ジャックに帯電する静電気がアース接続用線材からグランドパターンへと放電される。
【００１４】
請求項５に係るジャックを備えた電子機器は、請求項１記載のジャックを備えた電子機器において、前記アース部が前記回路基板を組み付ける導電性のシャーシから成り、前記アース接続用線材の接続端部と前記シャーシとを固定具により固定したことを特徴とする。
【００１５】
請求項５の構成によれば、ジャックに帯電する静電気がアース接続用線材から導電性のシャーシに放電され、ジャックに外部機器を接続する際、ジャックに帯電する静電気が外部機器へと流れることはない。
【００１６】
請求項６に係るジャックを備えた電子機器は、請求項５記載のジャックを備えた電子機器において、前記アース接続用線材が、前記回路基板と平行する水平部を備え、この水平部に少なくとも前記ジャックの外周より小径となるようにコイル状に巻き回して前記巻付部を形成するとともに、前記シャーシに前記アース接続用線材と接続する接続片を折曲形成し、前記水平部の一端から前記接続片に沿わせる取付部を屈曲するとともに、この取付部に前記固定具としてのねじを挿通するリング部を形成し、そのねじを前記接続片に螺着して前記ジャックをアース接続するように構成したことを特徴とする。
【００１７】
請求項６の構成によれば、アース接続用線材に形成する巻付部を広げてジャックに挿入し、巻付部の弾性復元力によってジャックに巻付部を弾性的に密着させる。この後、取付部に形成するリング部にねじを挿通し、このねじをシャーシに形成した接続片のねじ孔に螺着することによって、ジャックに帯電する静電気がアース接続用線材からシャーシへと放電される。
【００１８】
請求項７に係るジャックを備えた電子機器は、請求項２、３、４、６記載のジャックを備えた電子機器において、前記回路基板に複数のジャックを並設し、前記アース接続用線材の水平部に前記各ジャックの外周に弾性的に密着する複数の巻付部を形成したことを特徴とする。
【００１９】
請求項７の構成によれば、アース接続用線材に形成する各巻付部を広げて回路基板に実装する複数のジャックに挿入すれば、アース接続用線材によって各ジャックがそれぞれ導通し、アース接続用線材を介して各ジャックがアース接続され、各ジャックに静電気が帯電しない。
【発明の効果】
【００２０】
請求項１に係るジャックを備えた電子機器によれば、外部機器と接続する導電性のジャックと、このジャックを実装する回路基板と、前記ジャックとアース部とを接続する可撓性を有するアース接続用線材とを備え、前記アース接続用線材の一部を前記アース部と接続するとともに、アース接続用線材に少なくとも前記ジャックの外周に弾性的に密着する巻付部を形成したものであるから、巻付部の弾性復元力によってジャックにアース接続用線材を確実に接続させることができ、ジャックへのアース接続用線材の組み付けが容易であるとともに、アース接続用線材は、導電性の線材を折曲して成形しているだけなので、成形加工性に優れ、かつ、このように簡単な構造であるにも拘らずジャックに帯電する静電気を確実にアース部へと放電させることができる。さらに、外部からの静電気がジャックを介して機器内部に流れることを防止し、機器内部に配置した電子部品の破損も防止することができる。
【００２１】
請求項２に係るジャックを備えた電子機器によれば、請求項１記載のジャックを備えた電子機器において、前記アース部が前記回路基板に形成するグランドパターンから成り、前記アース接続用線材の接続端部を前記グランドパターンに接続したものであるから、導電性の線材を折曲して成形した簡単な構造であるにも拘らずジャックに帯電する静電気を確実に回路基板に形成するグランドパターンへと放電させることができる。
【００２２】
請求項３に係るジャックを備えた電子機器は、請求項２記載のジャックを備えた電子機器において、前記アース接続用線材が、前記グランドパターンに接続する接続端部と、この接続端部と水平基部を介して上方に屈曲する立ち上り部と、この立ち上り部の上端部から前記回路基板と平行するように屈曲した水平部とを備え、この水平部に少なくとも前記ジャックの外周より小径となるようにコイル状に巻き回して前記巻付部を形成したものであるから、ジャックとアース部との位置関係に多少の誤差が生じてもアース接続用線材自体が可撓性を備えているから、その誤差を吸収することができる。
【００２３】
請求項４に係るジャックを備えた電子機器によれば、請求項２記載のジャックを備えた電子機器において、前記アース接続用線材が、立ち上り部と水平部との間にコイル部を有するトーションバネによって構成され、前記水平部に少なくとも前記ジャックの外周より小径となるようにコイル状に巻き回して前記巻付部を形成するとともに、前記立ち上り部から前記グランドパターンに接続する接続端部を屈曲形成するとともに、前記回路基板には、前記立ち上り部を係止するための切欠部を形成したものであるから、立ち上り部を回路基板の切欠部に引っ掛けると、コイル部の付勢力によって立ち上り部を回路基板の切欠部に確実に係止できるから、接続端部をグランドパターンに半田付けする際、回路基板からアース接続用線材が外れることなく、回路基板にアース接続用線材を確実に保持することができる。
【００２４】
請求項５に係るジャックを備えた電子機器によれば、請求項１記載のジャックを備えた電子機器において、前記アース部が前記回路基板を組み付ける導電性のシャーシから成り、前記アース接続用線材の接続端部と前記シャーシとを固定具により固定したものであるから、導電性の線材を折曲して成形した簡単な構造であるにも拘らずジャックに帯電する静電気を確実に回路基板を組み付ける導電性のシャーシへと放電させることができる。
【００２５】
請求項６に係るジャックを備えた電子機器によれば、請求項５記載のジャックを備えた電子機器において、前記アース接続用線材が、前記回路基板と平行する水平部を備え、この水平部に少なくとも前記ジャックの外周より小径となるようにコイル状に巻き回して前記巻付部を形成するとともに、前記シャーシに前記アース接続用線材と接続する接続片を折曲形成し、前記水平部の一端から前記接続片に沿わせる取付部を屈曲するとともに、この取付部に前記固定具としてのねじを挿通するリング部を形成し、そのねじを前記接続片に螺着して前記ジャックをアース接続するように構成したものであるから、ねじによってアース接続用線材をシャーシに確実に接続することができるとともに、アース接続用線材の固定をねじによって行うので、組付け作業も容易である。
【００２６】
請求項７に係るジャックを備えた電子機器によれば、請求項２、３、４、６記載のジャックを備えた電子機器において、前記回路基板に複数のジャックを並設し、前記アース接続用線材の水平部に前記各ジャックの外周に弾性的に密着する複数の巻付部を形成したものであるから、一つのアース接続用線材に回路基板に実装する複数のジャックをアース接続することができる。
【発明を実施するための最良の形態】
【００２７】
以下、本発明を実施するための最良の形態としての実施例１を添付した図１〜図３を参照して説明する。なお、本実施例においては、ジャックを備えた電子機器としてＤＶＤプレーヤに適用した場合を例にして説明するが、本発明はその発明の趣旨に反さない範囲で、実施例において説明した以外の構成のものに対しても容易に適用可能なことは説明を要するまでもない。
【実施例１】
【００２８】
図１は本発明に係る電子機器１としてのＤＶＤプレーヤを示す斜視図であり、本実施例においては、テレビジョン受像機などの他の装置内に組み込まれた複合装置の一部を構成する場合を示しているが、ＤＶＤプレーヤ単独として使用可能である。図１に示すように、電子機器１は、導電性のシャーシ２に記録再生装置３や回路基板４を組み付けるとともに、記録再生装置３を覆うように、導電性のシャーシ２に金属製のカバー５を固定している。回路基板４にはトランス等の電子部品６が実装されるとともに、回路基板４の前端側に外部機器と接続するための複数のジャック７が実装されている。これらのジャック７は中心部にプラグ挿入孔７ｂを有する導電性の筒部７ａを備え、該筒部７ａに可撓性を有するアース接続用線材１０を装着し、このアース接続用線材１０の端部をアース部として前記回路基板４に形成するグランドパターン４ａに接続するようにしている。
【００２９】
次に図２〜図３を用いて本実施例のアース接続用線材１０の構造について詳述する。アース接続用線材１０は導電性部材から成る線材を折曲して形成されており、前記回路基板４と平行する水平部１１に回路基板４に実装したジャック７の筒部７ａより小径となるようにコイル状に巻き回した巻付部１２を形成している。この巻付部１２は、回路基板４に実装したジャック７の個数に応じて形成され、また、アース接続用線材１０の端部には回路基板４のグランドパターン４ａに接続するために、回路基板４と平行する水平基部１３の端部に前記グランドパターン４ａに形成する孔部４ｂに挿入する接続端部１５を下方に向かって屈曲し、水平基部１３の他端には水平部１１と連設するための立ち上り部１６を形成している。
【００３０】
以上のように構成される本実施例においては、アース接続用線材１０に形成する巻付部１２を広げてジャック７の筒部７ａに挿入することにより、巻付部１２の弾性復元力によって、ジャック７の筒部７ａに巻付部１２を弾性的に密着させる。こうしてジャック７の筒部７ａにアース接続用線材１０の巻付部１２を密着させた状態で、水平基部１３の端部に折曲した接続端部１５を回路基板４に形成する孔部４ｂに挿入し、回路基板４の裏面に形成するグランドパターン４ａに接続端部１５を半田付けする。これにより、ジャック７に帯電する静電気がアース接続用線材１０からグランドパターン４ａへと確実に放電され、ジャック７のプラグ挿入孔７ｂに外部機器を接続する際、ジャック７に帯電する静電気が外部機器に流れることなく、ジャック７に帯電する静電気による外部機器への影響を防止することができる。
【００３１】
以上のように、本実施例においては、可撓性を有するアース接続用線材１０にジャック７の筒部７ａより小径となるようにコイル状に巻き回した巻付部１２を形成し、この巻付部１２を広げるようにしてジャック７の筒部７ａに挿入するだけで、巻付部１２の弾性復元力によって巻付部１２がジャック７の筒部７ａに弾性的に接触し、アース接続用線材１０とジャック７とが接続され、さらに、ジャック７に装着したアース接続用線材１０の接続端部１５を回路基板４に形成する孔部４ｂに挿入し、回路基板４に形成するグランドパターン４ａにアース接続用線材１０の接続端部１５を半田付けすることによってアース接続用線材１０を介してジャック７をグランドパターン４ａにアース接続することができる。この際、アース接続用線材１０自体が細い線材から成り、水平基部１３が容易に弾性変形することから、ジャック７へのアース接続用線材１０の組み付けが容易であるとともに、回路基板４に実装するジャック７と回路基板４に形成する孔部４ｂとの位置関係に多少の誤差が生じてもアース接続用線材１０自体が可撓性を備えているから、その誤差を吸収することができる。さらに、アース接続用線材１０は単に導電性の線材を折曲しているだけなので、成形加工性に優れるとともに、このように簡単な構造であるにも拘らずジャック７に帯電する静電気を確実に回路基板４のグランドパターン４ａへと放電することができる。さらに、外部からの静電気がジャック７を介して機器内部に流れることを防止し、機器内部に配置した電子部品の破損も防止することができる。
【実施例２】
【００３２】
図４〜図６は本発明の実施例２を示し、前記実施例１と同一機能を有する部分に同一符号を付し、重複する部分の説明を省略し、異なる部分についてのみ説明する。本実施例においては、アース接続用線材２０が、立ち上り部２１と水平部２２との間にコイル部２３を有するトーションバネによって構成され、前記水平部２２にジャック７の筒部７ａ外周より小径となるようにコイル状に巻き回した巻付部２５を形成している。また、アース接続用線材２０の端部には回路基板４のグランドパターン４ａに接続するために、前記立ち上り部２１から前記グランドパターン４ａに接続する接続端部２６を屈曲して形成している。また、前記回路基板４の前端縁には、前記立ち上り部２１を係止するために切欠部７ｃが形成され、コイル部２３を撓ませた状態で立ち上り部２１を切欠部７ｃに係止することによって、グランドパターン４ａに接続端部２６を接触させた状態でアース接続用線材２０の立ち上り部２１を回路基板４に保持するように構成している。
【００３３】
以上のように構成される本実施例は、前記実施例１と同様、アース接続用線材２０に形成する巻付部２５を広げてジャック７の筒部７ａに挿入し、巻付部２５の弾性復元力によってジャック７の筒部７ａに巻付部２５を弾性的に密着させる。この後、立ち上り部２１と水平部２２との間に形成するコイル部２３を撓ませるようにして立ち上り部２１を回路基板４の切欠部７ｃに引っ掛けるようにして係止する。これにより、コイル部２３の弾性復元力によって立ち上り部２１が回路基板４の切欠部７ｃに確実に係止され、この状態で立ち上り部２１の接続端部２６をグランドパターン４ａに半田付けする。これにより、ジャック７に帯電する静電気がアース接続用線材２０からグランドパターン４ａへと確実に放電され、ジャック７に帯電する静電気によりジャック７と接続する外部機器への影響を防止することができる。また、アース接続用線材２０の弾性復元力によってアース接続用線材２０の巻付部２５をジャック７の筒部７ａと確実に接触させることができ、また、立ち上り部２１を回路基板４の切欠部７ｃに引っ掛けて立ち上り部２１の端部に折曲した接続端部２６をグランドパターン４ａに半田付けする際、コイル部２３の付勢力によって立ち上り部２１を回路基板４の切欠部７ｃに確実に係止できるから、接続端部２６をグランドパターン４ａに半田付けする際、回路基板４からアース接続用線材２０が外れることなく、回路基板４にアース接続用線材２０を確実に保持することができる。
【実施例３】
【００３４】
図７〜図９は本発明の実施例３を示し、前記各実施例と同一機能を有する部分に同一符号を付し、重複する部分の説明を省略し、異なる部分についてのみ説明する。前記実施例１、２においてはアース接続用線材を回路基板４のグランドパターン４ａに接続してジャック７をアース接続した例を示したが、本実施例においては、アース接続用線材３０を導電性のシャーシ２に接続してジャック７をアース接続する場合を示している。
【００３５】
すなわち、本実施例におけるアース接続用線材３０は前記実施例１、２と同様、回路基板４と平行する水平部３１を備え、この水平部３１に少なくともジャック７の筒部７ａ外周より小径となるようにコイル状に巻き回した巻付部３２を形成するとともに、前記水平部３１の一端から取付部３３を屈曲し、この取付部３３に固定具としてのねじ３４ａを挿通するリング部３４を形成している。一方、シャーシ２の前端縁には、接続片３５を形成し、この接続片３５に前記ねじ３４ａを螺着するねじ孔３６を形成している。
【００３６】
以上のように構成される本実施例においては、前記各実施例と同様、アース接続用線材３０に形成する巻付部３２を広げてジャック７の筒部７ａに挿入し、巻付部３２の弾性復元力によってジャック７の筒部７ａに巻付部３２を弾性的に密着させる。この後、取付部３３に形成するリング部３４にねじ３４ａを挿通し、シャーシ２の前端縁に折曲した接続片３５のねじ孔３６にねじ３４ａを螺着することによって、ジャック７に帯電する静電気をアース接続用線材３０からシャーシ２へ確実に放電することができる。これにより、前記各実施例と同様、ジャック７と接続する外部機器への影響を防止することができるとともに、本実施例においては、ねじ３４ａによってアース接続用線材３０をシャーシ２に接続することから、前記実施例１、２のような半田付け作業を省略することができる。
【００３７】
以上、本発明の実施例を詳述したが、本発明は前記各実施例に限定されるものではなく、本発明の要旨の範囲内で種々の変形実施が可能である。例えば、アース接続用線材の形状は適宜設定すればよい。また、前記各実施例では、電子機器１としてのＤＶＤプレーヤを示したが、これに限らず各種電子機器に広く適用可能である。
【図面の簡単な説明】
【００３８】
【図１】本発明の実施例１における電子機器を示す斜視図である。
【図２】同上、アース接続用線材の取付け状態を示す斜視図であり、図２（ａ）はアース接続用線材を分解した状態、図２（ｂ）はアース接続用線材を装着した状態を示している。
【図３】同上、アース接続用線材の取付け状態を示し、図３（ａ）はアース接続用線材を装着した平面図、図３（ｂ）はアース接続用線材を装着した正面図である。
【図４】本発明の実施例２を示すアース接続用線材の分解斜視図である。
【図５】同上、アース接続用線材の装着状態を示す斜視図である。
【図６】同上、アース接続用線材の取付け状態を示し、図６（ａ）はアース接続用線材を装着した平面図、図６（ｂ）はアース接続用線材を装着した正面図である。
【図７】本発明の実施例３を示すアース接続用線材の分解斜視図である。
【図８】同上、アース接続用線材の装着状態を示す斜視図である。
【図９】同上、アース接続用線材の取付け状態を示し、図９（ａ）はアース接続用線材を装着した平面図、図９（ｂ）はアース接続用線材を装着した正面図である。
【符号の説明】
【００３９】
１    電子機器
２    シャーシ（アース部）
４    回路基板
４ａ    グランドパターン（アース部）
４ｂ    孔部
７    ジャック
７ｃ    切欠部
１０，２０，３０    アース接続用線材
１１，２２，３１    水平部
１２，２５，３２    巻付部
１５，２６    接続端部
１６，２１    立ち上り部
２３    コイル部
３４    リング部
３４ａ    ねじ（固定具）
３５    接続片
【図１】
2006269370.tif 000003
【図２】
2006269370.tif 000004
【図３】
2006269370.tif 000005
【図４】
2006269370.tif 000006
【図５】
2006269370.tif 000007
【図６】
2006269370.tif 000008
【図７】
2006269370.tif 000009
【図８】
2006269370.tif 000010
【図９】
2006269370.tif 000011